(57)【要約】【課題】ユーザによる移動を指示する操作を用いて表示中の画像の全部を別の画像に切り替えられるようにする。【解決手段】情報処理装置は、表示上の位置が固定されていない画像の全部に対するユーザの移動の指示を受け付ける受付手段と、指示された方向への移動の距離が閾値を超えない間、現在の画像での表示を継続し、指示された方向への移動の距離が閾値を超えた場合、画像の全部を別の画像に切り替える切替手段と、を有する。【選択図】図６
2019197191.tif 000002
【特許請求の範囲】
【請求項１】
表示上の位置が固定されていない画像の全部に対するユーザの移動の指示を受け付ける受付手段と、
指示された方向への移動の距離が閾値を超えない間、現在の画像での表示を継続し、指示された方向への移動の距離が当該閾値を超えた場合、当該画像の全部を別の画像に切り替える切替手段と、
を有する情報処理装置。
【請求項２】
前記受付手段は、任意の方向について循環的な移動の指示を受け付ける、請求項１に記載の情報処理装置。
【請求項３】
前記受付手段は、予め定めた方向に限り、循環的な移動の指示を受け付ける、請求項１に記載の情報処理装置。
【請求項４】
指示された移動の方向に応じ、切り替え後に表示される内容が異なる、請求項１に記載の情報処理装置。
【請求項５】
予め定めた特定の操作があった場合、前記切替手段は、指示された方向への移動の前記距離が前記閾値を超えていなくても前記別の画像に表示を切り替える、請求項１に記載の情報処理装置。
【請求項６】
前記特定の操作は、表示する画像を指定する操作である、請求項５に記載の情報処理装置。
【請求項７】
前記閾値を与える距離は、移動方向について、表示面の一方の端部から他方の端部までの距離として与えられる、請求項１に記載の情報処理装置。
【請求項８】
前記閾値を与える距離は、表示面が環状の場合、表示面を一周する距離として与えられる、請求項１に記載の情報処理装置。
【請求項９】
表示中の前記画像は徐々に薄くなり、切り替え先の前記別の画像は徐々に濃くなるように切り替えが実行される、請求項１に記載の情報処理装置。
【請求項１０】
空気中に形成される複数の表示面が互いに対面するように一方向に配列されている場合、
最前列に位置する前記表示面に表示されている画像の全部の前記別の画像への切り替えは、
前記最前列に位置する表示面に表示されていた画像の、奥側に位置する別の前記表示面への移動により実行される、請求項１に記載の情報処理装置。
【請求項１１】
表示上の位置が固定されていない画像の全部に対するユーザの移動の指示を受け付ける受付手段と、
指示された方向への移動の距離が閾値を超えない間、現在の画像での表示を継続し、指示された方向への移動の距離が当該閾値を超えた場合、当該画像の全部を別の画像に切り替える切替手段と、
表示面に画像を表示する表示手段と、
を有する情報処理システム。
【請求項１２】
前記表示面は曲面形状である、請求項１１に記載の情報処理システム。
【請求項１３】
前記表示面の形状は変形可能である、請求項１２に記載の情報処理システム。
【請求項１４】
前記表示手段は身につけた状態で使用される、請求項１１に記載の情報処理システム。
【請求項１５】
前記表示面は空中に浮かぶように表示される、請求項１１に記載の情報処理システム。
【請求項１６】
コンピュータを、
表示上の位置が固定されていない画像の全部に対するユーザの移動の指示を受け付ける受付手段と、
指示された方向への移動の距離が閾値を超えない間、現在の画像での表示を継続し、指示された方向への移動の距離が当該閾値を超えた場合、当該画像の全部を別の画像に切り替える切替手段、
として機能させるプログラム。
【発明の詳細な説明】
【技術分野】
【０００１】
本発明は、情報処理装置、情報処理システム及びプログラムに関する。
【背景技術】
【０００２】
現在、表示に用いられる領域（表示領域）を越える寸法の情報を表示する技術として電光掲示板がある。電光掲示板は、表示領域を越える長さの文字列や図形が一方向にスクロールすることで情報の全体を表示する。
また、いわゆるオフィスソフトでは、スライダーに対する操作に伴って、表示領域に表示される内容が連続的に切り替わる。
【先行技術文献】
【特許文献】
【０００３】
【特許文献１】特開２００８−３３６９５号公報
【発明の概要】
【発明が解決しようとする課題】
【０００４】
電光掲示板に表示される情報の切り替えは、予め定めた周期で実行される。
【０００５】
本発明は、ユーザによる移動を指示する操作を用いて表示中の画像の全部を別の画像に切り替えられるようにすることを目的とする。
【課題を解決するための手段】
【０００６】
請求項１に記載の発明は、表示上の位置が固定されていない画像の全部に対するユーザの移動の指示を受け付ける受付手段と、指示された方向への移動の距離が閾値を超えない間、現在の画像での表示を継続し、指示された方向への移動の距離が当該閾値を超えた場合、当該画像の全部を別の画像に切り替える切替手段と、を有する情報処理装置である。
請求項２に記載の発明は、前記受付手段は、任意の方向について循環的な移動の指示を受け付ける、請求項１に記載の情報処理装置である。
請求項３に記載の発明は、前記受付手段は、予め定めた方向に限り、循環的な移動の指示を受け付ける、請求項１に記載の情報処理装置である。
請求項４に記載の発明は、指示された移動の方向に応じ、切り替え後に表示される内容が異なる、請求項１に記載の情報処理装置である。
請求項５に記載の発明は、予め定めた特定の操作があった場合、前記切替手段は、指示された方向への移動の前記距離が前記閾値を超えていなくても前記別の画像に表示を切り替える、請求項１に記載の情報処理装置である。
請求項６に記載の発明は、前記特定の操作は、表示する画像を指定する操作である、請求項５に記載の情報処理装置である。
請求項７に記載の発明は、前記閾値を与える距離は、移動方向について、表示面の一方の端部から他方の端部までの距離として与えられる、請求項１に記載の情報処理装置である。
請求項８に記載の発明は、前記閾値を与える距離は、表示面が環状の場合、表示面を一周する距離として与えられる、請求項１に記載の情報処理装置である。
請求項９に記載の発明は、表示中の前記画像は徐々に薄くなり、切り替え先の前記別の画像は徐々に濃くなるように切り替えが実行される、請求項１に記載の情報処理装置である。
請求項１０に記載の発明は、空気中に形成される複数の表示面が互いに対面するように一方向に配列されている場合、最前列に位置する前記表示面に表示されている画像の全部の前記別の画像への切り替えは、前記最前列に位置する表示面に表示されていた画像の、奥側に位置する別の前記表示面への移動により実行される、請求項１に記載の情報処理装置である。
請求項１１に記載の発明は、表示上の位置が固定されていない画像の全部に対するユーザの移動の指示を受け付ける受付手段と、指示された方向への移動の距離が閾値を超えない間、現在の画像での表示を継続し、指示された方向への移動の距離が当該閾値を超えた場合、当該画像の全部を別の画像に切り替える切替手段と、表示面に画像を表示する表示手段と、を有する情報処理システムである。
請求項１２に記載の発明は、前記表示面は曲面形状である、請求項１１に記載の情報処理システムである。
請求項１３に記載の発明は、前記表示面の形状は変形可能である、請求項１２に記載の情報処理システムである。
請求項１４に記載の発明は、前記表示手段は身につけた状態で使用される、請求項１１に記載の情報処理システムである。
請求項１５に記載の発明は、前記表示面は空中に浮かぶように表示される、請求項１１に記載の情報処理システムである。
請求項１６に記載の発明は、コンピュータを、表示上の位置が固定されていない画像の全部に対するユーザの移動の指示を受け付ける受付手段と、指示された方向への移動の距離が閾値を超えない間、現在の画像での表示を継続し、指示された方向への移動の距離が当該閾値を超えた場合、当該画像の全部を別の画像に切り替える切替手段、として機能させるプログラムである。
【発明の効果】
【０００７】
請求項１記載の発明によれば、ユーザによる移動を指示する操作を用いて表示中の画像の全部を別の画像に切り替えられるようにできる。
請求項２記載の発明によれば、画像の循環的な移動の方向に制約がある場合に比してユーザの希望する情報の確認を容易にできる。
請求項３記載の発明によれば、画像の循環的な移動が実行される特定の方向以外の方向へのユーザの指示を別の操作の受け付けに利用できる。
請求項４記載の発明によれば、移動の方向によって切り替え後の画像が異なることで切り替わり後の画像の予測性を高めることができる。
請求項５記載の発明によれば、特定の操作を組み合わせることで画像の切り替えを効率的に実現できる。
請求項６記載の発明によれば、特定の画像に直接切り替えることができる。
請求項７記載の発明によれば、画像の切り替えに必要な移動の距離の予測が容易になる。
請求項８記載の発明によれば、画像の切り替えに必要な移動の距離の予測が容易になる。
請求項９記載の発明によれば、画像の切り替えの実行が近いことをユーザに知らせることができる。
請求項１０記載の発明によれば、空気中に形成される複数の表示面が一列に配置されている場合には、表示の単位とする画像の切り替えにより、画像が表示される位置の入れ替えを実現できる。
請求項１１記載の発明によれば、ユーザによる移動を指示する操作を用いて表示中の画像の全部を別の画像に切り替えられるようにできる。
請求項１２記載の発明によれば、ユーザによる移動を指示する操作を用いて表示中の画像の全部を別の画像に切り替えられるようにできる。
請求項１３記載の発明によれば、ユーザによる移動を指示する操作を用いて表示中の画像の全部を別の画像に切り替えられるようにできる。
請求項１４記載の発明によれば、ユーザによる移動を指示する操作を用いて表示中の画像の全部を別の画像に切り替えられるようにできる。
請求項１５記載の発明によれば、ユーザによる移動を指示する操作を用いて表示中の画像の全部を別の画像に切り替えられるようにできる。
請求項１６記載の発明によれば、ユーザによる移動を指示する操作を用いて表示中の画像の全部を別の画像に切り替えられるようにできる。
【図面の簡単な説明】
【０００８】
【図１】実施の形態１に係る情報処理装置の一例を説明する図である。（Ａ）は情報処理装置の使用例を示し、（Ｂ）は情報処理装置を側方から見た図である。
【図２】実施の形態１に係る情報処理装置のハードウェア構成の一例を説明する図である。
【図３】プログラムの実行を通じてＣＰＵが実現する機能構成の一例を説明する図である。
【図４】実施の形態１における移動の距離の求め方を説明する図である。
【図５】判定に用いる基準の一例を示す図表である。
【図６】表示の単位を説明する図である。（Ａ）は情報処理装置に対するユーザの操作を示し、（Ｂ）は表示の単位としての画像の例である。
【図７】ユーザによる移動の操作に伴う画像の表示の位置の移動と次の画像への切り替えの例を説明する図である。（Ａ）は情報処理装置に対するユーザの操作を示し、（Ｂ）は移動の操作に伴う画像の表示の変遷を示す。
【図８】ユーザによる移動の操作に伴う画像の表示の位置の移動と前の画像への切り替えの例を説明する図である。（Ａ）は情報処理装置に対するユーザの操作を示し、（Ｂ）は移動の操作に伴う画像の表示の変遷を示す。
【図９】補助的な操作とともにユーザによる移動の操作が行われる場合における画像の表示の位置の移動と次の画像への切り替えの例を説明する図である。（Ａ）は情報処理装置に対するユーザの操作を示し、（Ｂ）は移動の操作に伴う画像の表示の変遷を示す。
【図１０】補助的な操作とともにユーザによる移動の操作が行われる場合における画像の表示の位置の移動と前の画像への切り替えの例を説明する図である。（Ａ）は情報処理装置に対するユーザの操作を示し、（Ｂ）は移動の操作に伴う画像の表示の変遷を示す。
【図１１】補助的な操作とともにユーザによる移動の操作が行われる場合における画像の表示の位置の移動と次の画像への切り替えの他の例を説明する図である。（Ａ）は情報処理装置に対するユーザの操作を示し、（Ｂ）は移動の操作に伴う画像の表示の変遷を示す。
【図１２】補助的な操作とともにユーザによる移動の操作が行われる場合における画像の表示の位置の移動と前の画像への切り替えの他の例を説明する図である。（Ａ）は情報処理装置に対するユーザの操作を示し、（Ｂ）は移動の操作に伴う画像の表示の変遷を示す。
【図１３】表示面を１回タップする操作が次の画像への表示の切り替えとして登録されている場合の動作例を説明する図である。（Ａ）は情報処理装置に対するユーザの操作を示し、（Ｂ）は移動の操作に伴う画像の表示の変遷を示す。
【図１４】表示面を２回タップする操作が次の画像への表示の切り替えとして登録されている場合の動作例を説明する図である。（Ａ）は情報処理装置に対するユーザの操作を示し、（Ｂ）は移動の操作に伴う画像の表示の変遷を示す。
【図１５】表示面のうち端部がある方向への移動の操作に伴う画像の表示の位置の移動と次の画像への切り替えの例を説明する図である。（Ａ）は情報処理装置に対するユーザの操作を示し、（Ｂ）は移動の操作に伴う画像の表示の変遷を示す。
【図１６】表示面のうち端部がある方向への移動の操作に伴う画像の表示の位置の移動と前の画像への切り替えの例を説明する図である。（Ａ）は情報処理装置に対するユーザの操作を示し、（Ｂ）は移動の操作に伴う画像の表示の変遷を示す。
【図１７】指先が動く方向の違いによって画像が循環的に移動される場合と画像が移動されない場合がある例を説明する図である。（Ａ）及び（Ｃ）は情報処理装置に対するユーザの操作を示し、（Ｂ）及び（Ｄ）は移動の操作に伴う画像の表示の変遷を示す。
【図１８】指先が動く方向の違いによって画像が循環的に移動される場合と画像が移動されない場合がある他の例を説明する図である。（Ａ）及び（Ｃ）は情報処理装置に対するユーザの操作を示し、（Ｂ）及び（Ｄ）は移動の操作に伴う画像の表示の変遷を示す。
【図１９】情報処理装置の本体が直方体形状であり、その外周面に４つの表示面が配置されている例を表している。（Ａ）は情報処理装置を斜め上方から見た外観であり、（Ｂ）は情報処理装置を上方から見た外観である。
【図２０】情報処理装置の本体が球形状であり、その表面に表示面が配置されている例を表している。
【図２１】情報処理装置の本体が長方体形状であり、６面のうちの１つに矩形形状の表示面が配置されている例を表している。（Ａ）はユーザの操作の方向が左右の場合を示し、（Ｂ）はユーザの操作の方向が上下の場合を示し、（Ｃ）はユーザの操作の方向が右斜め方向の場合を示す。
【図２２】画像の切り替えに伴って表示中の画像が徐々にフェードアウトし（薄くなり）、切り替え先の画像が徐々にフェードインする（濃くなる）例を説明する図である。
【図２３】空気中に空中画像を形成する情報処理装置の概略構成を説明する図である。（Ａ）はユーザに最も近い位置の空中画像に対して画像の表示の位置の移動を指示する操作の様子を示し、（Ｂ）は画像の切り替えが実行された後の画像の表示を示す。
【図２４】表示デバイスから出力される光を専用の光学プレートを透過させることで空中画像を形成する空中画像形成装置の原理図である。（Ａ）は各部材と空中画像との位置関係を示し、（Ｂ）は光学プレートの断面構造の一部を示す。
【図２５】空中画像として３次元像を形成する空中画像形成装置の原理図である。
【図２６】２面コーナーリフレクタを構成する微小な四角い穴を平面内に等間隔に配列した構造のマイクロミラーアレイを用いて空中画像を形成する空中画像形成装置の原理図である。（Ａ）は各部材と空中画像との位置関係を示し、（Ｂ）はマイクロミラーアレイの一部分を拡大した図である。
【図２７】ビームスプリッタと再帰反射シートを使用する空中画像形成装置の原理図である。
【図２８】空中画像をプラズマ発光体の集合として形成する空中画像形成装置の原理図である。
【図２９】実施の形態７における印刷領域の設定の手法を説明する図である。（Ａ）は円筒型の表示面に対する印刷領域の設定例を示し、（Ｂ）は印刷結果を示す。
【図３０】プログラムの実行を通じてＣＰＵが実現する機能の一例を説明する図である。
【図３１】１つの端部が指定され、かつ、印刷の向きが左方向（時計回り）の場合を説明する図である。（Ａ）はユーザの操作を示し、（Ｂ）は印刷結果を示す。
【図３２】２つの端部が指定され、かつ、印刷の向きが右方向（反時計回り）の場合を説明する図である。（Ａ）はユーザの操作を示し、（Ｂ）は印刷結果を示す。
【図３３】印刷の向きが表示されている画像の内容に応じて定まる例を示す図である。（Ａ）は文字が縦書きの場合の印刷の向きを示し、（Ｂ）は文字が横書きの場合の印刷の向きを示す。
【図３４】表示面の物理的な形状から表示上の領域の区別が可能な場合の印刷例を説明する図である。（Ａ）は印刷の単位として管理される領域の例を示し、（Ｂ）は全ての領域が印刷の対象として選択された場合の印刷結果を示す。
【図３５】表示面の物理的な形状から表示上の領域の区別が可能な場合の他の印刷例を説明する図である。（Ａ）は印刷の単位として管理される領域の例を示し、（Ｂ）は１つの領域が印刷の対象として選択された場合の印刷結果を示す。
【発明を実施するための形態】
【０００９】
以下、図面を参照して、本発明の実施の形態を説明する。
【００１０】
＜実施の形態１＞
図１は、実施の形態１に係る情報処理装置１の一例を説明する図である。（Ａ）は情報処理装置１の使用例を示し、（Ｂ）は情報処理装置１を側方から見た図である。
図１に示す情報処理装置１は、ユーザの腕５に装着されている。
本実施の形態の場合、情報処理装置１は、円筒形状の本体１０の外周面に沿って表示面１１を配置した構成を有している。図１における表示面１１は、本体１０の全周に沿って設けられている。すなわち、表示面１１は、３６０°型の表示手段の一例である。換言すると、表示面１１は曲面形状を有している。
図１では、円筒形状の本体１０の回転軸に直交する面で表示面１１を切断する場合における表示面１１の円周の長さをＬ０と表している。
【００１１】
本実施の形態における表示面１１は、物理的にも３６０°連続しているが、３６０°の全てが表示面１１である場合と同等の使い方が可能であれば、表示面１１は複数の表示デバイスの集合体として構成されていてもよい。
本実施の形態における表示面１１の最大表示領域は、円周方向については全周であり、幅方向については全幅である。すなわち、ユーザが視認可能な表示面１１の全域が、情報の表示に用いられる領域の最大範囲となる。
以下の説明では、特に言及のない限り、表示領域は、表示面１１の全域と一致する。
【００１２】
本実施の形態の場合、表示面１１は、有機ＥＬ（Electro Luminescence）パネル、液晶パネル等で構成される。図１の場合、表示面１１には、天候、時間、心拍数、歩数等の情報、メール、電話等の機能ボタンが配置されている。
なお、表示面１１には、静止画のみならず、動画像も表示される。
表示面１１には、本体１０に内蔵されている各種のセンサの出力値が表示されてもよいし、通信機能を通じて外部から受信した情報が表示されてもよいし、不図示の記憶デバイスから読み出された情報が表示されてもよい。
【００１３】
本実施の形態の場合、本体１０は、円筒形状に成形されている。もっとも、円周上の一部で本体１０が分断され、分断された端部を開くことで本体１０を腕５に取り付けたり、取り外したりできるように形成されていてもよい。また、端部には、不図示の留め具その他の結合手段が配置されていてもよい。また、本体１０は、柔軟性を有する素材で形成された帯状の部材でもよい。
また、本実施の形態の場合、表示面１１は、腕５に装着した状態で３６０°連続するように本体１０に取り付けられているが、腕５に装着した状態で円周方向について表示面１１が存在しない隙間が設けられてもよい。例えば表示面１１は、円周方向について３５０°でもよいし、３００°でもよいし、１８０°でもよいし、１２０°でもよい。
【００１４】
図２は、実施の形態１に係る情報処理装置１のハードウェア構成の一例を説明する図である。
円筒形状の本体１０には、プログラム（ファームウェアを含む）の実行を通じて装置全体を制御するＣＰＵ（Central Processing Unit）２１と、ＢＩＯＳ（Basic Input Output System）やファームウェア等のプログラムを記憶するＲＯＭ２２と、プログラムの実行領域として使用されるＲＡＭ（Random Access Memory）２３とが設けられている。
ここで、ＣＰＵ２１、ＲＯＭ２２、ＲＡＭ２３はコンピュータとして機能し、各種の情報処理を実行する。なお、ＲＯＭ２２は、不揮発性の半導体メモリによって構成される。
【００１５】
この他、本体１０は、表示面１１（図１参照）を構成するタッチパネル２４、測定の対象とする物理量を電気信号として出力するセンサ２５、画像を撮像するカメラ２６、光源としてのＬＥＤ（Light Emitting Diode）２７、外部機器との通信に使用される通信モジュール２８等を有している。これらは、バス２９を通じて接続されている。
タッチパネル２４には、ユーザが操作する表示面１１上の位置を検知する操作検知デバイスと、情報を表示する表示デバイスとが設けられている。表示デバイスには、例えば有機ＥＬ（Electro Luminescence）パネルや液晶パネルが用いられる。
【００１６】
センサ２５には、例えば温度センサ、気温センサ、体温センサ、脈拍センサ、加速度センサ、ジャイロセンサ、磁気センサ、ＧＰＳ（Global Positioning System）センサ、環境光センサ、近接センサ、指紋センサがある。加速度センサの出力は、例えば歩数の計測に用いられる。なお、センサ２５は、例示したセンサデバイスの全てを用いる必要はなく、一部でもよい。
通信モジュール２８は、例えばＷｉＦｉ（登録商標）規格に準拠する無線信号を送受信するＷｉＦｉ（Wireless Fidelity）モジュール、近距離無線通信規格の１つであるブルートゥース（登録商標）規格に準拠する無線信号を送受信するBluetoothモジュールを含む。
【００１７】
図３は、プログラムの実行を通じてＣＰＵ２１が実現する機能構成の一例を説明する図である。
ただし、図３に示す機能構成は、ユーザによる移動の指示に伴って、表示面１１（図１参照）に表示されている画像を、その同一性を保ったまま画像全体の移動を受け付ける場合における画像の切り替え機能に限って示している。
ここで、表示されている画像の同一性が保たれる状態とは、表示面１１内における画像の表示の位置が変化しても、表示されている画像の内容は移動がない場合と同じになる状態をいう。
【００１８】
なお、表示面１１上における表示の位置が固定されている画像は除かれる。換言すると、表示上の位置が固定されていない画像の全部が表示面１１内における移動の対象となる。例えばスマートフォンやコンピュータのディスプレイの縁部に沿って配置されるアイコンや時刻の表示は、表示の位置が固定されている画像の一例である。なお、これらアイコンや時刻の表示の位置の変更は、同一性が保たれないので、本実施の形態にいう移動とは異なる。
【００１９】
例えば表示面１１に表示されている画像が静止画像の場合であれば、表示されている画像を構成する要素に過不足が生じない状態をいう。ここで、過不足が生じる状態とは、移動の前には存在しなかった要素が加わる状態や移動の前には存在した要素が無くなる状態をいう。
例えば表示面１１に表示されている画像の一部が動画像の場合であれば、動画像の部分を除いて、表示されている画像を構成する要素に過不足が生じない状態をいう。
例えば表示面１１に表示されている画像の全部が動画像の場合であれば、画像の表示の位置が変化しても、表示されている画像の内容は移動がない場合と同じになる状態をいう。  
【００２０】
なお、表示されている画像の同一性が保たれる状態には、表示面１１のうちの特定の領域で画像が拡大されて表示される等のレイアウトの変更を伴う場合を含む。
換言すると、表示されている画像の同一性が保たれる移動とは、表示面１１に表示されている画像の全部が移動の方向に循環的に又は回転するように表示の位置を変えることをいう。回転は、循環的な移動の一形態である。
【００２１】
循環的とは、例えば表示面１１のうち端部がある方向への移動が指示された場合（図１であれば、円筒の開口部の方向への移動の場合）に、一方の端部に位置する画像が表示面１１の外側に消えると同時に他方の端部から出現する表示の形態をいう。
従って、電光掲示板のように、表示範囲を超える長さの文字列等がスクロール表示される例は、表示されている画像の同一性が保たれる移動には該当しない。
【００２２】
また、オフィスソフトの文書作成ソフトの場合には、スライダーを操作した方向から新たな情報が画面内に出現され、反対側の端部に表示されていた情報は画面内から消えるため、表示されている画像の同一性が保たれる移動には該当しない。
本実施の形態において循環的な表示の機能が設けられているのは、円筒形状の表示面１１ではユーザから物理的に見えない領域が存在するためである。ユーザは、円筒形状の表示面１１に表示される画像の位置を円周方向に回転させることで、表示中の画像の全てを目視することができる。
本体１０（図１参照）を腕５（図１参照）の周りで回転させてもよいが、本体１０を腕５に対して回転できない場合もある。従って、本実施の形態のように、表示の位置だけを回転できる機能は、画像の全体を目視する上で有用である。
【００２３】
図３に示すＣＰＵ２１は、表示面１１（図１参照）における画像の移動の距離が予め定めた閾値未満の間は表示が継続される画像（すなわち表示の単位）を管理する表示単位管理部３１と、ユーザによる移動の操作を受け付ける移動操作受付部３２と、ユーザによる移動の操作の方向を受け付ける移動方向受付部３３と、方向別の移動の距離を検知する移動距離検知部３４と、表示の単位である画像の切り替えを判定する表示単位切替判定部３５と、判定の結果に基づいて表示の切り替えを実行する表示切替制御部３６として機能する。
【００２４】
本実施の形態の場合、表示の単位は、表示面１１の最大表示領域に表示される画像であり、前述したように画像の切り替えの単位でもある。
なお、表示面１１の最大表示領域のうちの一部が操作ボタン等のために確保されている場合には、表示の単位は、それらの領域を除く領域に表示される画像として規定される。
表示単位管理部３１は、表示中の画像（表示の単位）と、切り替え後に表示される画像（表示の単位）との関係等を管理している。例えば次に表示する画像（表示の単位）、次の次に表示する画像（表示の単位）というように表示の順序に関する関係を管理する。
【００２５】
なお、表示単位管理部３１は、移動の向きに応じて、異なる関係を管理してもよい。例えば移動の方向別に異なる種類の表示の単位を割り当ててもよい。図１の例であれば、端部が存在しない方向（３６０°の回転が可能な方向）への移動の場合と、一対の端部が存在する方向（開口のある方向）への移動の場合とで異なる画像（表示の単位）の集まりを対応付けてもよい。
【００２６】
移動操作受付部３２は、タッチパネル２４（図２参照）に対するユーザの操作のうち移動の指示とみなす操作の受け付けを実行する。
本実施の形態の場合、指先を特定の方向に弾くように移動させる動きも、指先を特定の方向にはらうように移動させる動きも、表示面１１に接触したままスライドさせる動きも移動の指示とみなされる。
移動方向受付部３３は、移動の指示として受け付けた際の操作の方向を移動の方向として受け付ける。図１の例であれば、情報処理装置１を腕５に装着した状態で表示面１１に沿って時計回りへの移動か、表示面１１に沿って反時計回りへの移動か、右側の開口の方向への移動か、左側の開口の方向への移動かなどである。
移動の方向には、斜めの方向への移動があってもよい。斜めの方向への移動は、端部が存在しない方向への移動と一対の端部が存在する方向への移動の２つの成分に分割してもよい。
【００２７】
移動距離検知部３４は、表示の単位とする画像が表示されたときの画面の表示面１１内の位置を基準として、各方向への移動の距離を検知する。
図４は、実施の形態１における移動の距離の求め方を説明する図である。本実施の形態では、基準の位置に対して一方の方向への移動の距離を正（プラス）、反対の方向への移動の距離を負（マイナス）として時系列に発生する移動の操作の総和によって移動の方向と移動の距離を求める。
【００２８】
図４の例では、右方向について距離Ｌ１１の移動の操作が２回あるが、反対方向への距離Ｌ１１の移動も１回あるので、最新の移動の距離は右方向への距離Ｌ１１と検知される。
なお、図４では、移動を指示する操作の仕方によって移動の距離を区別していないが、指先を弾くように移動させる場合やはらうように移動させる場合には、移動の速度に応じて移動の距離を変更してもよい。
また、指先を表示面１１（図１参照）に沿ってスライドさせる場合には、スライドした距離を移動の距離としてもよい。
【００２９】
図３の説明に戻る。
表示単位切替判定部３５は、特定の方向への移動の距離が画像（表示の単位）の切り替えの基準のいずれに該当するかを判定し、判定の結果を表示切替制御部３６に与える。
表示切替制御部３６は、判定の結果に対応付けられている表示を実行する。ここでの表示には、表示の単位とする画像の切り替えに限らず、表示の単位として表示中の画像の表示面１１（図１参照）内における表示の位置の移動も含まれる。
表示切替制御部３６は、表示面１１に表示されている画像の全部を別の画像に切り替える切替手段の一例である。
【００３０】
図５は、判定に用いる基準の一例を示す図表である。
図５には、方向別の移動の距離と補助的な操作の有無を組み合わせた８通りの基準が例示されている。
例えば基準１は、即時の移動の実行を指示する補助的な操作が無く、予め定めた方向（例えば反時計回り）への移動の距離が表示面１１（図１参照）の円周の長さＬ０未満の場合である。移動の距離が基準１を満たす場合、表示切替制御部３６は、現在の画像を維持したまま、反時計回りに画像が循環（回転）するように表示する。
【００３１】
ここで、補助的な操作は、画面の移動を指示する操作とは別の操作であり、例えば不図示のボタン類の操作を含む。ボタン類には、本体１０（図１参照）に設けられているハードキーでもよいし、画像の表示領域とは別に表示面１１の一部に配置されているソフトキーでもよい。また、補助的な操作には、移動の指示との区別が可能であれば、ボタン類の操作を伴わなくてもよい。具体例については後述する。
補助的な操作が有る場合には、画像に対する移動の距離が長さＬ０に達する前でも画像の切り替えが実行される。
【００３２】
基準２は、即時の移動の実行を指示する補助的な操作が無く、予め定めた方向（例えば反時計回り）への移動の距離が表示面１１（図１参照）の円周の長さＬ０を超える場合である。移動の距離が基準２を満たす場合、表示切替制御部３６は、次の画像に切り替える。
基準３は、即時の移動の実行を指示する補助的な操作が有り、予め定めた方向（例えば反時計回り）への移動の距離が長さＬ１（＜Ｌ０）未満の場合である。
長さＬ１は、ユーザの指示する移動の方向の確認に必要な距離であればよい。従って、長さＬ１は、例えば中心角の１°に相当する長さでもよい。
長さＬ１は任意であるが、短いことで他の画像に切り替わるまでの移動を指示する操作が少なく済む。ただし、あまりに短いと、誤検知の可能性が増える。長さＬ１は、ユーザが個別に設定又は変更できることが望ましい。
移動の距離が基準３を満たす場合、表示切替制御部３６は、現在の画像を維持したまま、例えば反時計回りに画像が循環（回転）するように表示する。
【００３３】
基準４は、即時の移動の実行を指示する補助的な操作が有り、予め定めた方向（例えば反時計回り）への移動の距離が長さＬ１（＜Ｌ０）を超える場合である。この場合、表示切替制御部３６は、距離Ｌ１の超過が確認される度に次の画像に切り替える。この切り替えにより、短時間のうちに目的とする画像にたどり着くことができる。
なお、補助的な操作と移動の指示とを組み合わせるのではなく、ポップアップ表示された切り替え対象の画像を一覧的に表示する小画面（いわゆるウィンドウ）内で対象とする画像を直接選択してもよい。また、何個先にある画像を選択するかを数字によって指定してもよい。
【００３４】
基準５は、即時の移動の実行を指示する補助的な操作が無く、予め定めた方向（例えば時計回り）への移動の距離が表示面１１の円周の長さＬ０未満の場合である。移動の距離が基準５を満たす場合、表示切替制御部３６は、現在の画像を維持したまま、例えば時計回りに画像が循環（回転）するように表示する。
基準６は、即時の移動の実行を指示する補助的な操作が無く、予め定めた方向（例えば時計回り）への移動の距離が表示面１１の円周の長さＬ０を超える場合である。移動の距離が基準６を満たす場合、表示切替制御部３６は、前の画像に切り替える。
基準７は、即時の移動の実行を指示する補助的な操作が有り、予め定めた方向（例えば時計回り）への移動の距離が長さＬ１（＜Ｌ０）未満の場合である。移動の距離が基準７を満たす場合、表示切替制御部３６は、現在の画像を維持したまま、例えば時計回りに画像が循環（回転）するように表示する。
基準８は、即時の移動の実行を指示する補助的な操作が有り、予め定めた方向（例えば時計回り）への移動の距離が長さＬ１（＜Ｌ０）を超える場合である。この場合、表示切替制御部３６は、距離Ｌ１の超過が確認される度に前の画像に切り替える。
【００３５】
＜表示例＞
以下では、前述した機能を用いた画像の移動及び切り替えについて説明する。
＜表示の単位の説明＞
図６は、表示の単位を説明する図である。（Ａ）は情報処理装置１に対するユーザの操作を示し、（Ｂ）は表示の単位としての画像の例である。
図６では、表示面１１の円周面に沿うように右方向（反時計回り）に指先６が動かされている。図６では、指先６の移動の方向を矢印で示している。
図６における動きの方向は円周方向である。このため、表示面１１に表示されている表示の単位としての画像は、指示された距離だけ右方向（反時計回り）に表示の位置を移動する。
【００３６】
図６の場合、表示の単位として、３つの画像を例示している。図６では、表示の単位をページとして管理する。
図６では、作図上の都合で、表示面１１の全周に亘って表示される画像を下向きの三角形の印で示す基準の位置で切り開いて表示している。このため、（Ｂ）の各時点の表示例では両端に同じ印が描かれている。
ページ１は、円周方向に沿って配置される文字列「ＡＢＣＤＥＦＧＨＩＪＫＬＭＮＯＰ」で構成される。
ページ２は、円周方向に沿って配置される文字列「ＱＲＳＴＵＶＷＸＹＺ０１２」で構成される。
ページ３は、円周方向に沿って配置される文字列「３４５６７８９１０１１１２」で構成される。
現在の表示の単位はページ２である。ページ２に対して前のページはページ１であり、次のページはページ３である。
【００３７】
＜表示例１＞
図７は、ユーザによる移動の操作に伴う画像の表示の位置の移動と次の画像への切り替えの例を説明する図である。（Ａ）は情報処理装置１に対するユーザの操作を示し、（Ｂ）は移動の操作に伴う画像の表示の変遷を示す。
図７の場合も、基準の位置を、下向きの三角形の印で表している。
時点Ｔ１は、表示の単位としてのページ２が表示されている。この時点は、ユーザによる移動の指示の前である。この場合、左側の基準の位置から右方向（反時計回り）に文字列「ＱＲＳＴＵＶＷＸＹＺ０１２」が配置されている。
時点Ｔ２は、ユーザが右方向（反時計回り）に指先６を動かした後の表示面１１上の文字列の配置を示している。図７の場合、時点Ｔ１に対し、画像の表示の位置が右方向に５文字分移動されている。このため、表示面１１には、左側の基準の位置から右方向に、文字列「ＹＺ０１２ＱＲＳＴＵＶＷＸ」が配置されている。
【００３８】
時点Ｔ３は、更に、ユーザが右方向（反時計回り）に指先６を動かした後の表示面１１上の文字列の配置を示している。図７の場合、時点Ｔ２に対し、画像の表示の位置が右方向に７文字分移動されている。このため、表示面１１には、左側の基準の位置から右方向に文字列「ＲＳＴＵＶＷＸＹＺ０１２Ｑ」が配置されている。
すなわち、時点Ｔ１では、左側の基準の位置から見て右方向（反時計回り）の先頭に位置していた文字「Ｑ」が、時点Ｔ３では最後列に位置している。
この状態で、更に、ユーザが右方向（反時計回り）に指先６を動かすと、右方向へのページ２の回転的な移動の距離が円周の長さＬ０を超える。
時点Ｔ４は、表示面１１に表示される画像がページ２からページ３に切り替わった後の文字列の配置を表している。
【００３９】
このように、ユーザの操作に伴う右方向（反時計回り）への画像の移動の距離がＬ０未満の間は、表示の単位であるページ２が表示面１１に沿って操作の方向に移動するだけであるが、表示の位置が１周すると、次のページ（すなわちページ３）に切り替わる表示が実現される。
表示面１１が環状である図７の場合、画像の切り替えの判定の閾値として円周の長さＬ０を用いている。長さＬ０は、表示面１１を一周する距離である。
もっとも、閾値として用いる長さはＬ０の半分（すなわちＬ０／２）でもよいし、Ｌ０の３分の１（すなわちＬ０／３）でもよい。
【００４０】
＜表示例２＞
図８は、ユーザによる移動の操作に伴う画像の表示の位置の移動と前の画像への切り替えの例を説明する図である。（Ａ）は情報処理装置１に対するユーザの操作を示し、（Ｂ）は移動の操作に伴う画像の表示の変遷を示す。
図８の場合も、基準の位置を、下向きの三角形の印で表している。
【００４１】
時点Ｔ１で表示されている画像は表示例１（図７参照）と同じである。すなわち、表示の単位としてのページ２が表示面１１に表示されている。また、左側の基準の位置から右方向（反時計回り）に文字列「ＱＲＳＴＵＶＷＸＹＺ０１２」が配置されている。
時点Ｔ２は、ユーザが左方向（時計回り）に指先６を動かした後の表示面１１上の文字列の配置を示している。図８の場合、時点Ｔ１に対し、画像の表示の位置が左方向に４文字分移動されている。このため、表示面１１には、左側の基準の位置から右方向に文字列「ＵＶＷＸＹＺ０１２ＱＲＳＴ」が配置されている。
【００４２】
時点Ｔ３は、更に、ユーザが左方向（時計回り）に指先６を動かした後の表示面１１上の文字列の配置を示している。図８の場合、時点Ｔ２に対し、画像の表示の位置が左方向に８文字分移動されている。このため、表示面１１には、左側の基準の位置から右方向に文字列「２ＱＲＳＴＵＶＷＸＹＺ０１」が配置されている。
すなわち、時点Ｔ１では、左側の基準の位置から見て右方向（反時計回り）の先頭に位置していた文字「Ｑ」が、時点Ｔ３では先頭から２番目に位置している。
この状態で、更に、ユーザが左方向（時計回り）に指先６を動かすと、左方向へのページ２の回転的な移動の距離が円周の長さＬ０を超える。
時点Ｔ４は、表示面１１に表示される画像がページ２からページ１に切り替わった後の文字列の配置を表している。
【００４３】
このように、ユーザの操作に伴う左方向（時計回り）への画像の移動の距離がＬ０未満の間は、表示の単位であるページ２が表示面１１に沿って操作の方向に移動するだけであるが、表示の位置が１周すると、前のページ（すなわちページ１）に切り替わる表示が実現される。
図８の場合も、画像の切り替えの判定の閾値として円周の長さＬ０を用いているが、閾値として用いる長さはＬ０の半分（すなわちＬ０／２）でもよいし、Ｌ０の３分の１（すなわちＬ０／３）でもよい。
なお、移動の向きによって、判定に用いる距離の長さが異なってもよい。すなわち、右方向（反時計回り）については移動の距離がＬ０を超えることで次のページの画像が切り替わっているが、左方向（時計回り）については移動の距離がＬ０／２を超えることで前のページの画像に切り替わってもよい。
【００４４】
＜表示例３＞
図９は、補助的な操作とともにユーザによる移動の操作が行われる場合における画像の表示の位置の移動と次の画像への切り替えの例を説明する図である。（Ａ）は情報処理装置１に対するユーザの操作を示し、（Ｂ）は移動の操作に伴う画像の表示の変遷を示す。
図９の場合も、基準の位置を、下向きの三角形の印で表している。
図９の場合には、本体１０の一部分に配置された物理キー１２を親指で押しながら指先６を右方向（反時計回り）に移動する例を表している。
補助的な操作を伴う場合、画像の切り替えの判定の基準となる移動の距離は長さＬ１（＜Ｌ０）に変更される。
【００４５】
図９の場合も、時点Ｔ１は、表示の単位としてのページ２が表示されている。
時点Ｔ２は、ユーザが右方向（反時計回り）に指先６を動かした後の表示面１１上の文字列の配置を示している。図９の場合、左側の基準の位置から右方向に１文字移動している。このため、文字列は左側の基準の位置から右方向（反時計回り）に「２ＱＲＳＴＵＶＷＸＹＺ０１」に変化している。
図９の場合、１文字分の移動は、長さＬ１未満である。
【００４６】
時点Ｔ３は、更に、ユーザが右方向（反時計回り）に指先６を動かした後の表示面１１上の文字列の配置を示している。時点Ｔ３では、右方向（反時計回り）への移動の距離が、判定用の閾値である長さＬ１を超えている。
このため、表示面１１上に表示される画像は、ページ２からページ３に切り替わっている。
時点Ｔ４は、ユーザが右方向（反時計回り）に更に指先６を動かすことで、移動の距離が長さＬ１を超えた場合を表している。このため、表示面１１上に表示される画像は、ページ３からページ４に切り替わっている。
ページ４は、記号で構成される文字列を画像の内容とする。
【００４７】
このように、ユーザの操作に伴う右方向（反時計回り）への画像の移動の距離が長さＬ１未満の間は、表示の単位であるページ２が表示面１１に沿って操作の方向に移動するだけであるが、表示面１１上における移動の距離が長さＬ１を超えると、次のページ（すなわちページ３）に切り替わる表示が実現される。その後、更に、表示面１１上における移動の距離が長さＬ１を超えると、次のページ（すなわちページ４）に切り替わる表示が実現される。
このように、補助的な操作を組み合わせることで、少ない移動の距離で画像の切り替えを実現できる。
【００４８】
＜表示例４＞
図１０は、補助的な操作とともにユーザによる移動の操作が行われる場合における画像の表示の位置の移動と前の画像への切り替えの例を説明する図である。（Ａ）は情報処理装置１に対するユーザの操作を示し、（Ｂ）は移動の操作に伴う画像の表示の変遷を示す。
図１０の場合も、基準の位置を、下向きの三角形の印で表している。
図１０の場合も、本体１０の一部分に配置された物理キー１２を親指で押す点では表示例３と共通する。ただし、表示例４では、指先６を左方向（時計回り）に移動している。
【００４９】
図１０の場合も、補助的な操作を行いながら時点Ｔ１は、表示の単位としてのページ２が表示されている。
時点Ｔ２は、ユーザが左方向（時計回り）に指先６を動かした後の表示面１１上の文字列の配置を示している。図１０の場合、左側の基準の位置から左方向に１文字移動している。このため、文字列は左側の基準の位置から右方向（反時計回り）に「ＲＳＴＵＶＷＸＹＺ０１２Ｑ」に変化している。
図１０の場合も、１文字分の移動は、長さＬ１未満である。
【００５０】
時点Ｔ３は、更に、ユーザが左方向（時計回り）に指先６を動かした後の表示面１１上の文字列の配置を示している。時点Ｔ３では、左方向（時計回り）への移動の距離が、判定用の閾値である長さＬ１を超えている。
このため、表示面１１上に表示される画像は、ページ２からページ１に切り替わっている。
【００５１】
このように、ユーザの操作に伴う左方向（時計回り）への画像の移動の距離が長さＬ１未満の間は、表示の単位であるページ２が表示面１１に沿って操作の方向に移動するだけであるが、表示面１１上における移動の距離が長さＬ１を超えると、前のページ（すなわちページ１）に切り替わる表示が実現される。
このように、補助的な操作を組み合わせることで、少ない移動の距離で画像の切り替えを実現できる。
【００５２】
＜表示例５＞
図１１は、補助的な操作とともにユーザによる移動の操作が行われる場合における画像の表示の位置の移動と次の画像への切り替えの他の例を説明する図である。（Ａ）は情報処理装置１に対するユーザの操作を示し、（Ｂ）は移動の操作に伴う画像の表示の変遷を示す。
この表示例では、２つの指先６Ａ、６Ｂを用いる移動の指示を、補助的な操作として受け付ける。図１１では、人差し指の指先６Ｂと中指の指先６Ａとを右方向（反時計回り）に移動している。なお、移動の指示に用いる指は、人差し指と中指の組み合わせに限らない。
【００５３】
図１１の場合も、基準の位置を、下向きの三角形の印で表している。
２つの指先６Ａ、６Ｂが表示面１１に接触し、かつ、その指先が表示面１１に沿って移動された場合、移動操作受付部３２（図３参照）は、補助的な操作を伴う移動の指示として受け付ける。
この受け付けにより、画像の切り替え判定用の基準として長さＬ１が設定される。
以後の画像の切り替えは、表示例３（図９参照）と同じになる。
【００５４】
＜表示例６＞
図１２は、補助的な操作とともにユーザによる移動の操作が行われる場合における画像の表示の位置の移動と前の画像への切り替えの他の例を説明する図である。（Ａ）は情報処理装置１に対するユーザの操作を示し、（Ｂ）は移動の操作に伴う画像の表示の変遷を示す。
この表示例の場合も、２つの指先６Ａ、６Ｂを用いる移動の指示を、補助的な操作として受け付けている。図１２では、人差し指の指先６Ｂと中指の指先６Ａとを、表示例５とは反対の左方向（時計回り）に移動している。
【００５５】
図１２の場合も、基準の位置を、下向きの三角形の印で表している。
２つの指先６Ａ、６Ｂが表示面１１に接触し、かつ、その指先が表示面１１に沿って移動された場合、移動操作受付部３２（図３参照）は、補助的な操作を伴う移動の指示として受け付ける。
この受け付けにより、画像の切り替え判定用の基準として長さＬ１が設定される。
以後の画像の切り替えは、表示例４（図１０参照）と同じになる。
【００５６】
＜表示例７＞
ここでは、表示されている画像の切り替えの指示をより簡略化する例を説明する。
図１３は、表示面１１を１回タップする操作が次の画像への表示の切り替えとして登録されている場合の動作例を説明する図である。（Ａ）は情報処理装置１に対するユーザの操作を示し、（Ｂ）は移動の操作に伴う画像の表示の変遷を示す。
図１３の場合も、操作を受け付ける前の初期画面をページ２とする。この表示例の場合、ユーザによる表示面１１のタップの操作のたびに画像は、ページ３、ページ４に切り替わっている。
なお、タップが検知された時点で、何ページ先に進むか、どのページに移動するか等を受け付ける画面が表示されてもよい。
【００５７】
＜表示例８＞
図１４は、表示面１１を２回タップ（すなわちダブルタップ）する操作が次の画像への表示の切り替えとして登録されている場合の動作例を説明する図である。（Ａ）は情報処理装置１に対するユーザの操作を示し、（Ｂ）は移動の操作に伴う画像の表示の変遷を示す。
図１４の場合も、操作を受け付ける前の初期画面をページ２とする。この表示例の場合、ユーザによる表示面１１のダブルタップの操作により、画像はページ１に切り替わる。
なお、ダブルタップが検知された時点で、何ページ前に進むか、どのページに移動するか等を受け付ける画面が表示されてもよい。
【００５８】
＜表示例９＞
図１５は、表示面１１のうち端部がある方向への移動の操作に伴う画像の表示の位置の移動と次の画像への切り替えの例を説明する図である。（Ａ）は情報処理装置１に対するユーザの操作を示し、（Ｂ）は移動の操作に伴う画像の表示の変遷を示す。
図１５の場合、情報処理装置１は、ユーザの指先６の上方向への移動を次の画像への切り替えの指示として受け付ける。図１５に示す配置の場合、上方と下方には本体１０の開口が位置するので、表示面１１には端部が存在する。
【００５９】
図１５の例では、表示面１１に沿って指先６を上方に動かすと、表示中のページ２の上方への移動の距離が表示面１１の幅ＬＷ未満の間、画像の同一性が保たれたまま表示の位置が循環的に移動する。
図１５の例では、移動の距離が幅ＬＷ未満の間、ページ２の表示が維持されている。具体的には、文字列「ＱＲＳＴＵＶＷＸＹＺ０１２」が表示される位置が、時点Ｔ１では中段、時点Ｔ２では上段、時点Ｔ３では下段に移動している。
図１５の例では、指先６による上方への移動の距離が幅ＬＷを超えた時点Ｔ４においてページ３に切り替わっている。
【００６０】
＜表示例１０＞
図１６は、表示面１１のうち端部がある方向への移動の操作に伴う画像の表示の位置の移動と前の画像への切り替えの例を説明する図である。（Ａ）は情報処理装置１に対するユーザの操作を示し、（Ｂ）は移動の操作に伴う画像の表示の変遷を示す。
図１６の場合、情報処理装置１は、ユーザの指先６の下方向への移動を前の画像への切り替えの指示として受け付ける。
【００６１】
図１６の例では、表示面１１に沿って指先６を下方に動かすと、表示中のページ２の下方への移動の距離が表示面１１の幅ＬＷ未満の間、画像の同一性が保たれたまま表示の位置が循環的に移動する。
図１６の例では、移動の距離が幅ＬＷ未満の間、ページ２の表示が維持されている。具体的には、文字列「ＱＲＳＴＵＶＷＸＹＺ０１２」が表示される位置が、時点Ｔ１では中段、時点Ｔ２では下段、時点Ｔ３では上段に移動している。
図１６の例では、指先６による下方への移動の距離が幅ＬＷを超えた時点Ｔ４においてページ１に切り替わっている。
【００６２】
＜表示例１１＞
前述の表示例では、移動の指示の方向にかかわらず、表示面１１上に表示される画像の位置が循環的に移動される例を表しているが、循環的な移動として受け付けられる向きを特定の方向に限定してもよい。
図１７は、指先６が動く方向の違いによって画像が循環的に移動される場合と画像が移動されない場合がある例を説明する図である。（Ａ）及び（Ｃ）は情報処理装置１に対するユーザの操作を示し、（Ｂ）及び（Ｄ）は移動の操作に伴う画像の表示の変遷を示す。
この表示例の場合、ユーザの指先６が動く方向が右方向（反時計回り）であると、表示例１（図７参照）と同じ変化が表示面１１に現れているのに対し、指先６が動く方向が上方向であると、表示面１１に表示される画像に表示の位置の移動が現れていない。
図１７の場合には、画像の移動を円周方向に限定しているためである。
【００６３】
＜表示例１２＞
図１８は、指先６が動く方向の違いによって画像が循環的に移動される場合と画像が移動されない場合がある他の例を説明する図である。（Ａ）及び（Ｃ）は情報処理装置１に対するユーザの操作を示し、（Ｂ）及び（Ｄ）は移動の操作に伴う画像の表示の変遷を示す。
この表示例の場合、ユーザの指先６が動く方向が左方向（時計回り）であると、表示例２（図８参照）と同じ変化が表示面１１に現れているのに対し、指先６が動く方向が下方向であると、表示面１１に表示される画像に表示の位置の移動が現れていない。
図１８の場合も、画像の移動を円周方向に限定しているためである。
【００６４】
＜実施の形態２＞
前述の実施の形態１においては、情報処理装置１（図１参照）の本体１０（図１参照）が円筒形状を有し、表示面１１（図１参照）が円周面に沿って３６０°連続している場合について説明したが、情報処理装置１の本体１０の形状は円筒形状に限らない。
図１９は、情報処理装置１Ａの本体１０Ａが直方体形状であり、その外周面に４つの表示面１１Ａが環状に配置されている例を表している。（Ａ）は情報処理装置１Ａを斜め上方から見た外観であり、（Ｂ）は情報処理装置１Ａを上方から見た外観である。
【００６５】
本実施の形態の場合、平面型の４つの表示面１１Ａが環状に配列されている点を除き、実質的には、実施の形態１における単一の表示面１１（図１参照）と同様の使い方が可能である。すなわち、単一の表示面１１（図１参照）に表示されている画像を、４つの表示面１１Ａに分割して表示する使い方が可能である。
もっとも、ユーザの選択により、４つの表示面１１Ａをそれぞれ独立した表示デバイスとして使用し、他の表示面１１Ａと連動して画像の表示が変化しないようにしてもよい。もっとも、他の表示面１１Ａの画像の表示と連動しないのは一部だけとしてもよい。
【００６６】
＜実施の形態３＞
前述の実施の形態では、一方向について３６０°連続した画像の表示が可能な形態を例示したが、ここでは任意の方向について３６０°連続した画像の表示が可能な場合を説明する。
図２０は、情報処理装置１Ｂの本体１０Ｂが球形状であり、その表面に表示面１１Ｂが配置されている例を表している。
【００６７】
図２０に示す矢印は、ユーザによる指先６の動きを表している。球形状の表示面１１Ｂの場合、ユーザは任意の方向に表示面１１Ｂに表示されている画像を移動させることが可能である。
この実施の形態の場合、移動の指示の方向が同じであれば、移動の指示の際に指先６が接触した位置の違いは問わない。また、球形状の場合、移動の方向を厳密に区別すると、わずかな移動の方向の違いが区別され、いつまで経っても画像が切り替わらない可能性がある。
このため、この実施の形態では、移動の方向にある程度の幅（又は範囲）をもたせ、ユーザの指示による移動の距離を管理してもよい。また、移動の方向を経度方向と緯度方向の２方向に分割し、各方向別に移動の距離を管理してもよい。
【００６８】
図２０に示す情報処理装置１Ｂは、ガラスやプラスチック樹脂などを成形した透明度の高い球面形状の表示面１１Ｂと、画像処理装置４０とを有している。
ここでの画像処理装置４０は、プログラム（基本ソフトウェアを含む）の実行を通じて装置全体を制御するＣＰＵと、ＢＩＯＳや基本ソフトウェア等のプログラムを記憶するＲＯＭと、プログラムの実行領域として使用されるＲＡＭと、外部機器との通信に使用される通信モジュールと、を有している。
画像処理装置４０は、通信モジュールを通じ、表示面１１Ｂに画像を表示する。もっとも、画像処理装置４０は、表示面１１Ｂの内部などに設けられていてもよい。
【００６９】
球面形状の表示面１１Ｂに画像を表示する手法には、例えば球面の内側から画像を投影する手法、球面の外側から画像を投影する手法、球面の全体に配置したＬＥＤを点灯させて画像を表示する手法、ＬＥＤを配列した環状の枠体を球体の内部で高速に回転させ、光の残像を視認させる手法を用いてもよい。
図２０に示す表示面１１Ｂには、ユーザの指先６が接した位置を検知する機能も設けられている。もっとも、ユーザの指先６の動きは、表示面１１Ｂを撮像するカメラの画像から認識してもよい。
図２０に示すように、表示面１１Ｂと画像処理装置４０とが分離された構成の情報処理装置１Ｂは、情報処理システムの一例である。
【００７０】
＜実施の形態４＞
前述の実施の形態では、少なくとも１つの方向について３６０°連続した画像の表示が可能な形態を例示したが、本実施の形態では、表示面１１の全周について外縁（端部）が存在する場合を説明する。
図２１は、情報処理装置１Ｃの本体１０Ｃが長方体形状であり、６面のうちの１つに矩形形状の表示面１１Ｃが配置されている例を表している。（Ａ）はユーザの操作の方向が左右の場合を示し、（Ｂ）はユーザの操作の方向が上下の場合を示し、（Ｃ）はユーザの操作の方向が右斜め方向の場合を示す。
【００７１】
この種の情報処理装置１Ｃには、例えばタブレット端末、スマートフォン、いわゆるモニタ等がある。
情報処理装置１Ｃの筐体（すなわち、表示面１１）は、１又は複数の形状に変形可能でもよい。換言すると、情報処理装置１Ｃは、いわゆるフレキシブルディスプレイでもよい。
例えば情報処理装置１Ｃが帯形状のいわゆるフレキシブルディスプレイの場合、情報処理装置１Ｃを円筒形状に丸めて使用してもよい。
【００７２】
図２１では、移動の操作に伴う画像の表示の変遷を描画していないが、水平方向、上下方向、右斜め方向のいずれに対しても表示中の画像が循環的に表示の位置を変えながら移動し、各方向について予め定めた距離を超えると画像が切り替わる。
平面形状の表示面１１Ｃの場合には、曲面形状の表示面１１（図１参照）のような物理的な死角は生じにくいが、注目する部分の画像を表示面１１Ｃの中央付近等の見やすい領域に移動させたい場合もある。
【００７３】
例えば右方向への画像の移動の距離が長さＬ２１を超えると次ページの画像に切り替わり、左方向への画像の移動が長さＬ２１を超えると前ページの画像に切り替わる。
例えば上方向への画像の移動の距離が長さＬ２２を超えると次ページの画像に切り替わり、下方向への画像の移動が長さＬ２２を超えると前ページの画像に切り替わる。
例えば右斜め上への画像の移動の距離が長さＬ２３を超えると次ページの画像に切り替わり、左斜め下への画像の移動が長さＬ２３を超えると前ページの画像に切り替わる。
なお、図１７に示したように、画像の表示の位置が循環的に移動するのを特定の向きに限定することも可能である。
【００７４】
＜実施の形態５＞
前述の実施の形態では、ユーザの指示による画像の移動の距離が予め定めた距離を超えると、表示中の画像から別の画像に即座に切り替わる例を説明した。
前述の実施の形態の場合、ユーザは、表示面１１（図１参照）に表示されている画像を構成する要素の表示の位置から画像の切り替えが近いことを推測するしかない。
本実施の形態では、画像の切り替えが近いことをユーザに知らせる表示の手法の一例を説明する。
【００７５】
図２２は、画像の切り替えに伴って表示中の画像が徐々にフェードアウトし（薄くなり）、切り替え先の画像が徐々にフェードインする（濃くなる）例を説明する図である。
なお、図２２は、表示例１（図７参照）のように、指先６（図７参照）を右方向（反時計回り）に動かして表示面１１内における画像の表示の位置を回転させる例を表している。
図２２における画像の切り替えは、ページ１からページ２への切り替えである。
時点Ｔ１は、ページ１からページ２への切り替え位置が近づいている状態を表している。図２２の場合、下向きの三角形で示す左側の基準の位置から右方向（反時計回り）に文字列「ＢＣＤＥＦＧＨＩＪＫＬＭＮＯＰＡ」が表示されている。この表示は、残り１文字分の右方向（反時計回り）への移動で、画像の切り替わりが実行される場合に現れる。
【００７６】
時点Ｔ２では、ページ１の画像の内容が時点Ｔ１よりも更に右方向に移動するとともに、画像のフェードアウトが始まっている。このため、画像の濃度（又は輝度）が低下している。
さらに、ユーザの移動の指示が継続した時点Ｔ３では、ページ１の表示がなくなり、ページ２のフェードインが開始している。時点Ｔ２と時点Ｔ３との間では、ページ１とページ２が混在する画像を表示してもよい。
この時点Ｔ１から時点Ｔ４までの画像の濃度（又は輝度）の変化からも、ユーザは、画像の切り替えが近づいていることを知ることができる。
【００７７】
＜実施の形態６＞
前述の実施の形態では、表示面がいずれも物理的に存在していたが、表示面は空気中に光学的に形成されてもよい。
図２３は、空気中に空中画像１１０を形成する情報処理装置１Ｄの概略構成を説明する図である。情報処理装置１Ｄは、情報処理システムの一例でもある。（Ａ）はユーザに最も近い位置の空中画像１１０に対して画像の表示の位置の移動を指示する操作の様子を示し、（Ｂ）は画像の切り替えが実行された後の画像の表示を示す。
本実施の形態において、空中画像１１０とは、物体からの反射光と同等の光の状態を再現するように空気中に形成される像をいう。
空中画像１１０は、空気中に浮かぶように形成されるので、人１２０は、空中画像１１０を通り抜けることも可能である。
【００７８】
空中画像１１０には、例えば案内用の画面や広告用の画面が表示される。また例えば空中画像１１０には、人１２０の操作に応じて表示の内容が変化する操作用の画面が表示される。言うまでもなく、これらの画面は、表示の一例である。
なお、空中画像１１０には、静止画像だけでなく、動画像が表示されることもある。
また、各実施の形態では、矩形形状の全体を空中画像１１０として表現するが、空中画像１１０の外縁を規定する形状は矩形に限らず、任意でよい。例えば物体（オブジェクト）の像が形成される空間を、空中画像１１０が形成される空間の全てとしてもよい。例えば操作用のボタンの像、人の像、動物の像、製品の像、果物の像なども、ここでの空中画像１１０の一例である。図２３では、空中画像１１０が平面形状であるが、曲面、球体、立方体などの立体的な形状でもよい。
【００７９】
空中画像１１０は、単独で配置される場合もあるが、１つの空間内に複数を配置する場合もある。図２３では、平面形状の３つの空中画像１１０Ａ、１１０Ｂ、１１０Ｃが、人１２０に対して奥行き方向に順番に配置されている。
図２３の場合、空中画像１１０Ａは、「ＡＡＡＡ／ＡＡＡＡ／ＡＡＡＡ／ＡＡＡＡ」で構成される。ここでの斜め線（スラッシュ）は、改行を表している。空中画像１１０Ｂ及び１１０Ｃについても同じである。なお、空中画像１１０Ｂは、「ＢＢＢＢ／ＢＢＢＢ／ＢＢＢＢ／ＢＢＢＢ」で構成され、空中画像１１０Ｃは、「ＣＣＣＣ／ＣＣＣＣ／ＣＣＣＣ／ＣＣＣＣ」で構成される。
【００８０】
図２３の例では、空中画像１１０Ａ、１１０Ｂ、１１０Ｃが、隣り合うどうしで、予め定めた距離を隔てて対面するように配置されている。
このような配置は、例えば空中画像１１０Ａに１ページ目、空中画像１１０Ｂに２ページ目、空中画像１１０Ｃに３ページ目を表示する場合に用いられる。
図２３の場合、ユーザの移動の指示に伴い次ページの画像に切り替えが実行される例を表している。このため、最前列に位置する空中画像１１０Ａに表示されていた１ページ目は最後列に移動し、代わりに、最前列に位置する空中画像１１０Ａには２ページ目が表示されている。すなわち、空中画像１１０Ａ、１１０Ｂ、１１０Ｃに表示される画像の内容が、奥側から１ページずつ前方に移動している。ここでの１ページ目の最後列への移動は、奥側への移動の一例である。
【００８１】
なお、ユーザによる移動の指示の方向が逆方向の場合には、最後列に位置する空中画像１１０Ｃに表示されていた３ページ目の画像が最前列に位置する空中画像１１０Ａに表示される。
この場合、最前列に位置する空中画像１１０Ａに表示されていた１ページ目は１つ奥側の空中画像１１０Ｂへと移動し、空中画像１１０Ｂに表示されていた２ページ目は最後列の空中画像１１０Ｃへと移動する。すなわち、１ページずつ奥側に移動する。ここでの１ページ目の空中画像１１０Ｂへの移動も、奥側への移動の一例である。
もっとも、複数の空中画像１１０を、人１２０から見て奥行き方向に配置する例は、文書を構成する個別のページを配列する場合に限らない。例えば図形の配列や層構造を有する表現にも使用される。
【００８２】
図２３に示す情報処理装置１Ｄは、空気中に空中画像１１０を形成する空中画像形成装置１０１と、空中画像形成装置１０１による空中画像１１０の形成を制御する像制御装置１０２と、人１２０の空中画像１１０に対する操作を撮像の対象とする不図示の撮像カメラと、人１２０の音声を電気信号に変換する不図示のマイクロフォンとを有している。
図２３の場合、空中画像形成装置１０１が空中画像１１０Ａ、１１０Ｂ、１１０Ｃを形成しているが、それぞれ専用の空中画像形成装置１０１を別に用意してもよい。
空中画像形成装置１０１は像形成手段の一例である。
【００８３】
像制御装置１０２は、人１２０の操作の内容を特定し、空中画像１１０Ａ、１１０Ｂ及び１１０Ｃの形成を制御する。ここで、像制御装置１０２は、撮像カメラから入力される画像を認識する技術（画像認識）やマイクロフォンから入力される音声を認識する技術（音声認識）を使用して、操作の内容を特定する。
例えば像制御装置１０２は、人１２０の手や指の動きを解析して、操作の対象とする空中画像の特定や特定された空中画像に対する操作の内容を特定する。
もっとも、像制御装置１０２は、端末（例えばリモートコントローラ）から通知される信号の受信を通じて、操作の内容を特定してもよい。
ここでの像制御装置１０２は、制御手段の一例である。なお、像制御装置１０２は、情報処理装置の一例でもある。
【００８４】
不図示の撮像カメラは、例えば人の手や指先の動きを撮像できる位置に配置される。もっとも、撮像カメラは、人１２０の顔を撮像の範囲に含めてもよい。顔が撮像されていれば、表情や視線の方向から操作の内容を特定することもできる。
なお、撮像カメラの台数は１台でも複数台でもよい。複数台の撮像カメラは、取り付け位置や撮像の方向が異なっていてもよい。取り付け位置や撮像の方向が異なることで、死角が少なくなり、人１２０の操作の検知や特定の制度を高めることが可能である。なお、撮像カメラに代えて、各種のセンサを使用してもよい。例えばユーザの手や指が赤外光を遮る位置や動きの方向を検知するセンサを用いてもよい。撮像カメラやセンサは、検知手段の一例である。
不図示のマイクロフォンは、人１２０が音声により、操作の内容を指示する場合に使用される。マイクロフォンも、検知手段の一例である。
【００８５】
以下では、空中画像１１０の形成原理について説明する。
図２４は、表示デバイス１４１から出力される光を専用の光学プレート１４２を透過させることで空中画像１１０を形成する空中画像形成装置１０１Ａの原理図である。（Ａ）は各部材と空中画像１１０との位置関係を示し、（Ｂ）は光学プレート１４２の断面構造の一部を示す。ここでの表示デバイス１４１と光学プレート１４２は、光学部品の一例である。
光学プレート１４２は、壁面を鏡として使用する短冊状のガラス１４２Ａを配列したプレートと、ガラス１４２Ａに対して直交する向きに短冊状のガラス１４２Ｂを配列したプレートを上下に重ねた構造を有する。
光学プレート１４２は、表示デバイス１４１から出力される光を短冊状のガラス１４２Ａ及び１４２Ｂで２回反射して空気中で結像させることで、表示デバイス１４１に表示されている画像を空気中に再現する。なお、表示デバイス１４１と光学プレート１４２の距離と、光学プレート１４２と空中画像１１０の距離は同じである。また、表示デバイス１４１に表示される画像の寸法と空中画像１１０の寸法は同じである。
【００８６】
図２５は、空中画像１１０として３次元像を形成する空中画像形成装置１０１Ｂの原理図である。空中画像形成装置１０１Ｂは、実際の物体１４３の表面で反射された光をリング型の光学プレート１４２を２回透過させることで３次元像（空中画像１１０）を空気中に再現する。なお、光学プレート１４２を直列に配置する必要はない。
【００８７】
図２６は、２面コーナーリフレクタを構成する微小な四角い穴１４４Ａを平面内に等間隔に配列した構造のマイクロミラーアレイ１４４を用いて空中画像１１０を形成する空中画像形成装置１０１Ｃの原理図である。（Ａ）は各部材と空中画像１１０との位置関係を示し、（Ｂ）はマイクロミラーアレイ１４４の一部分を拡大した図である。１つの穴１４４Ａは、例えば１００μｍ角で形成される。ここでのマイクロミラーアレイ１４４は、光学部品の一例である。
【００８８】
図２７は、ビームスプリッタ１４６と再帰反射シート１４７を使用する空中画像形成装置１０１Ｄの原理図である。ここで、ビームスプリッタ１４６は、表示デバイス１４５の表示面に対して４５°の角度で配置されている。また、再帰反射シート１４７は、ビームスプリッタ１４６による表示画像の反射方向に、表示デバイス１４５の表示面に対して９０°の角度に配置されている。表示デバイス１４５、ビームスプリッタ１４６、再帰反射シート１４７は、光学部品の一例である。
空中画像形成装置１０１Ｄの場合、表示デバイス１４５から出力される光は、ビームスプリッタ１４６によって再帰反射シート１４７の方向に反射され、次に再帰反射シート１４７で再帰反射され、ビームスプリッタ１４６を透過して空中で結像される。光が結像する位置に空中画像１１０が形成される。
【００８９】
図２８は、空中画像１１０をプラズマ発光体の集合として形成する空中画像形成装置１０１Ｅの原理図である。
空中画像形成装置１０１Ｅの場合、赤外パルスレーザ１４８がパルス状のレーザ光を出力し、ＸＹＺスキャナ１４９がパルス状のレーザ光を空気中で集光する。このとき、焦点近傍の気体が瞬間的にプラズマ化し、発光する。パルス周波数は、例えば１００Ｈｚ以下であり、パルス発光時間は、例えばナノ秒オーダである。ここでの赤外パルスレーザ１４８とＸＹＺスキャナ１４９は、光学部品の一例である。
【００９０】
＜実施の形態７＞
以下では、表示面１１が、少なくとも１方向について３６０°連続している場合における画像の印刷を支援する技術について説明する。
昨今における表示技術の進歩に伴い、例えば円筒形状の表示デバイスや球面形状の表示デバイスにより、３６０°連続した画像の表示が実用化されている。また、３６０°連続した画像を撮像できるカメラも存在する。一方で、３６０°連続した画像を用紙に印刷する技術は実用化されていない。
そこで、本実施の形態では、少なくとも一方向について環状に連続する表示面を有する表示デバイスに画像が環状に表示されている場合における印刷用の端部を設定するための技術を提案する。
【００９１】
図２９は、実施の形態７における印刷領域の設定の手法を説明する図である。（Ａ）は円筒型の表示面１１に対する印刷領域の設定例を示し、（Ｂ）は印刷結果を示す。
図２９における情報処理装置１Ｅは、実施の形態１における情報処理装置１（図１参照）と同じである。
本実施の形態の場合も、位置の指定のために、円筒形状の表示面１１に沿うように指先６を移動させる点で実施の形態１と共通する。
【００９２】
ただし、本実施の形態では、指先６の移動を、印刷用の端部の指定の入力に使用する。図２９においては、指先６の縦方向への移動により端部１５２が設定されている。
なお、指先６の移動は必ずしも直線とならないし、上端と下端とで円周上の位置が異なる可能性もある。そこで、本実施の形態における情報処理装置１には、印刷用の端部１５２が表示面に対して直交するように補正する機能が設けられている。
図２９では、４列のアイコン１５１を２分する位置に端部１５２が設定されている。また、図２９の例では、端部１５２から反時計回りに印刷が実行されることが予め定められている。このため、図２９では、端部１５２の指定だけで（Ｂ）に示す印刷結果が得られている。
【００９３】
図３０は、プログラムの実行を通じてＣＰＵ２１（図２参照）が実現する機能の一例を説明する図である。本実施の形態の場合、実現される機能は、印刷用の端部の受け付けと印刷範囲の設定である。
このため、ＣＰＵ２１は、印刷を開始する端部の位置を検知する印刷開始端部検知部１６０と、印刷を終了する端部の位置を検知する印刷終了端部検知部１６１と、検知された端部からいずれの方向に印刷を実行するかの指定を検知する印刷方向検知部１６２と、検知された情報から印刷範囲を設定する印刷範囲設定部１６３として機能する。
ここで、印刷開始端部検知部１６０と印刷終了端部検知部１６１は、印刷用の端部の指定が１箇所の場合には、円周上の同じ場所を設定する。一方で、印刷用の端部の指定が２箇所の場合には、最初に指定された位置を印刷が開始される端部とし、２番目に指定された位置を印刷が終了する端部とする。
【００９４】
印刷方向検知部１６２は、時計回りに印刷するか反時計回りに印刷するかが予め定められていない場合に実行される機能であり、ユーザの指先６（図２９参照）が時計回りの方向に移動したか反時計回りの方向に移動したかを検知する。
印刷範囲設定部１６３は、端部の指定が１箇所の場合には、検知された端部から予め定めた又は検知された方向に印刷の範囲を設定する。一方、端部の指定が２箇所の場合、印刷範囲設定部１６３は、最初に検知された端部から検知された方向に２番目に検知された端部までの範囲を印刷の範囲に設定する。なお、印刷領域とする外縁の全てが指定された場合、印刷範囲設定部１６３は、指定された部分を印刷領域とする。
本実施の形態における印刷開始端部検知部１６０と、印刷終了端部検知部１６１と、印刷方向検知部１６２と、印刷範囲設定部１６３は、いずれか単独について、又は、組み合わせについて、印刷の機能に関する受信手段として機能する。
【００９５】
以下では、図３１〜図３５を使用して、印刷の実行例を説明する。
図３１は、１つの端部１５２が指定され、かつ、印刷の向きが左方向（時計回り）の場合を説明する図である。（Ａ）はユーザの操作を示し、（Ｂ）は印刷結果を示す。
図３１の例では、端部１５２から時計回りに画像の情報が読み出され、用紙上に印刷される。
勿論、指先６が端部１５２から右方向（反時計回り）に動かされた場合には、図２９と同じ印刷結果が得られる。
【００９６】
図３２は、２つの端部１５２及び１５３が指定され、かつ、印刷の向きが右方向（反時計回り）の場合を説明する図である。（Ａ）はユーザの操作を示し、（Ｂ）は印刷結果を示す。
ここで、印刷の向きの指定（図中では矢印の方向）は、端部１５２及び１５３の指定前に実行してもよいし、端部１５２と端部１５３の設定の間に実行してもよいし、端部１５２及び１５３の指定後に実行してもよい。
図３２に示す操作を用いれば、３６０°に亘って表示されている画像のうち任意の部分だけを印刷することができる。
【００９７】
図３３は、印刷の向きが表示されている画像の内容に応じて定まる例を示す図である。（Ａ）は文字が縦書きの場合の印刷の向きを示し、（Ｂ）は文字が横書きの場合の印刷の向きを示す。
漢字や平仮名のように縦方向に文字列が記述された画像の場合には、印刷の方向として時計回りが設定される。一方、ローマ字や数字のように横方向に文字が記述された画像の場合には、印刷の方向として反時計回りが設定される。
【００９８】
なお、表示面１１は３６０°連続している場合でも、物理的な形状から領域の区別が可能な場合には、物理的な領域の指定により印刷の範囲を設定してもよい。
図３４は、表示面の物理的な形状から表示上の領域の区別が可能な場合の印刷例を説明する図である。（Ａ）は印刷の単位として管理される領域の例を示し、（Ｂ）は全ての領域が印刷の対象として選択された場合の印刷結果を示す。
図３４に示す情報処理装置１の場合、本体１０の形状がほぼ平板形状である。このため、表示面１１は、表面、右側面、裏面、左側面の４つの領域として管理される。図３４の例では、印刷の対象として４つの領域の全てが指定されているので、４つの領域の全てが対応する位置に印刷されている。
【００９９】
印刷の対象とする領域は、例えば指で各領域内の特定の部位に触れることで行われる。スマートフォンやタブレットのように手に持って使用する端末では、保持のために表示面１１に触れている部分と印刷の対象を指定するために触れられた位置の区別が難しい。
そこで、例えば４つの表示面のうち予め定めた部位（例えば下端側の付近）が触れられた場合には、印刷の対象としての指定として受け付けてもよい。
【０１００】
図３５は、表示面の物理的な形状から表示上の領域の区別が可能な場合の他の印刷例を説明する図である。（Ａ）は印刷の単位として管理される領域の例を示し、（Ｂ）は１つの領域が印刷の対象として選択された場合の印刷結果を示す。
図３５の場合には、表示面１１について定められた管理上の４つの領域（表面、右側面、裏面、左側面）のうち表面が印刷の対象に指定されている。このため、表面画像だけが印刷されている。
【０１０１】
＜まとめ＞
このように、実施の形態７には、少なくとも１つの方向について環状である表示面１１の全周に亘って画像が表示されている場合に、印刷の対象とする領域の端部を与える位置を受け付ける受付手段を有する情報処理装置１が記載されている。
なお、ここでの受付手段には、環状の表示面１１に表示されている画像を、端部として受け付けた位置から時計回りに印刷するか反時計回りに印刷するかを受け付ける機能が設けられている。
また、ここでの受付手段には、文字列が記述されている方向に応じて印刷の方向を決定する機能が設けられている。
これらの機能により、第７の実施の形態における情報処理装置１は、少なくとも１つの方向について環状である表示面１１の全周に亘って画像が表示されている場合でも、ユーザの望むレイアウトの印刷結果を得ることができる。
【０１０２】
＜他の実施形態＞
以上、本発明の実施の形態について説明したが、本発明の技術的範囲は上述の実施の形態に記載の範囲に限定されない。上述の実施の形態に、種々の変更又は改良を加えたものも、本発明の技術的範囲に含まれることは、特許請求の範囲の記載から明らかである。
例えば前述の実施の形態１、２、４では、表示面と機能を実行するＣＰＵとが１つの装置に設けられているが、表示面とＣＰＵとを分離した情報処理システムとして実現してもよい。
【符号の説明】
【０１０３】
１、１Ａ、１Ｂ、１Ｃ、１Ｄ、１Ｅ…情報処理装置、５…腕、６、６Ａ、６Ｂ…指先、１０、１０Ａ、１０Ｂ…本体、１１、１１Ａ、１１Ｂ、１１Ｃ…表示面、３１…表示単位管理部、３２…移動操作受付部、３３…移動方向受付部、３４…移動距離検知部、３５…表示単位切替判定部、３６…表示切替制御部、４０…画像処理装置、１０１、１０１Ａ、１０１Ｂ、１０１Ｃ、１０１Ｄ、１０１Ｅ…空中画像形成装置、１０２…像制御装置、１１０、１１０Ａ、１１０Ｂ、１１０Ｃ…空中画像、１２０…人、１５１…アイコン、１５２、１５３…端部、１６０…印刷開始端部検知部、１６１…印刷終了端部検知部、１６２…印刷方向検知部、１６３…印刷範囲設定部
【図１】
2019197191.tif 000003
【図２】
2019197191.tif 000004
【図３】
2019197191.tif 000005
【図４】
2019197191.tif 000006
【図５】
2019197191.tif 000007
【図６】
2019197191.tif 000008
【図７】
2019197191.tif 000009
【図８】
2019197191.tif 000010
【図９】
2019197191.tif 000011
【図１０】
2019197191.tif 000012
【図１１】
2019197191.tif 000013
【図１２】
2019197191.tif 000014
【図１３】
2019197191.tif 000015
【図１４】
2019197191.tif 000016
【図１５】
2019197191.tif 000017
【図１６】
2019197191.tif 000018
【図１７】
2019197191.tif 000019
【図１８】
2019197191.tif 000020
【図１９】
2019197191.tif 000021
【図２０】
2019197191.tif 000022
【図２１】
2019197191.tif 000023
【図２２】
2019197191.tif 000024
【図２３】
2019197191.tif 000025
【図２４】
2019197191.tif 000026
【図２５】
2019197191.tif 000027
【図２６】
2019197191.tif 000028
【図２７】
2019197191.tif 000029
【図２８】
2019197191.tif 000030
【図２９】
2019197191.tif 000031
【図３０】
2019197191.tif 000032
【図３１】
2019197191.tif 000033
【図３２】
2019197191.tif 000034
【図３３】
2019197191.tif 000035
【図３４】
2019197191.tif 000036
【図３５】
2019197191.tif 000037